(57)【要約】【課題】上面に上レールを取り付ける際に、人手を減らすことができて、正確な位置決めもでき、さらに、上レールを上面に取り付けたときに美観に優れる、引戸用の上レールを提供する。【解決手段】第１の部材２１、第２の部材２２及び第３の部材２３を有する上レール２０であって、前記第１の部材２１は障子１０上部が滑動する滑動溝５３と、上面９０への取付穴５８と、第１の凹部５６と、を有し、前記第２の部材２２は障子１０上部が滑動する滑動溝６３と、上面９０への取付穴６８と、前記第１の凹部５６に嵌合する第１の凸部６１と、第２の凹部６６と、を有し、前記第３の部材２３は障子１０上部が滑動する滑動溝７３と、上面９０への取付穴７８と、前記第２の凹部６６に嵌合する第２の凸部７１と、を有する。【選択図】図３
2020197040.tif 000002
【特許請求の範囲】
【請求項１】
第１の部材（２１）、第２の部材（２２）及び第３の部材（２３）を有する上レール（２０）であって、
前記第１の部材（２１）は引き戸上部が滑動する滑動溝（５３）と、上面への取付穴（５８）と、第１の凹部（５６）と、を有し、
前記第２の部材（２２）は引き戸上部が滑動する滑動溝（６３）と、上面への取付穴（６８）と、前記第１の凹部（５６）に嵌合する第１の凸部（６１）と、第２の凹部（６６）と、を有し、
前記第３の部材（２３）は引き戸上部が滑動する滑動溝（７３）と、上面への取付穴（７８）と、前記第２の凹部（６６）に嵌合する第２の凸部（７１）と、を有する、
引き戸用の上レール（２０）。
【請求項２】
前記滑動溝（５３、６３、７３）は断面がＵ字形状であり、
前記上面への取付穴（５８、６８、７８）は前記滑動溝（５３、６３、７３）の奥に形成され、
前記第１の凹部（５６）と前記第２の凹部（６６）の断面形状は同一であり、前記第１の凸部（６１）と前記第２の凸部（７１）の断面形状は同一である、
請求項１に記載の引き戸用の上レール（２０）。
【請求項３】
上面へ取り付けた前記上レール（２０）と壁との隙間よりも長い側面部（８２）を更に有し、前記側面部（８２）は前記上レール（２０）の長手方向に移動可能である、
請求項１又は請求項２に記載の引き戸用の上レール（２０）。
【発明の詳細な説明】
【技術分野】
【０００１】
この発明は、引き戸用の上レールに関する。
【背景技術】
【０００２】
引き戸は、一般的に障子と上レールと下レールとを備えている。障子の下框には戸車を設けてあり、下レールに形成された溝を当該戸車が移動する。障子の上部は、上レールに形成された溝を移動する。
【０００３】
例えば、特許文献１には、間仕切材と、上下のレール部材とを備え、間仕切材の下部にローラを設けてあり、上下のレールに溝が形成されている、間仕切りが開示されている。
【先行技術文献】
【特許文献】
【０００４】
【特許文献１】特開２００９−４１２４０号公報
【発明の概要】
【発明が解決しようとする課題】
【０００５】
しかしながら、上面に上レールを取り付ける際に上レールが重いと、支えてもらうために余分な人手が必要となり、さらに正確な位置決めも困難になるという課題がある。また、壁面等の間に上レールを取り付ける場合など、上レールの長手方向の取付長さが制限されている場合に、その長さ丁度の上レールを用意することは困難である。そのため、短めに上レールを形成せざるを得ず、壁面等の間に上レールを取り付けたときに、上レールの端部と壁面等との間に隙間が生じてしまうので、美観が悪くなるという課題がある。
【０００６】
特許文献１に開示された発明は、前記のような課題に対しては、解決策の提示は無い。
【０００７】
本願発明は、上面に上レールを取り付ける際に、人手を減らすことができて、正確な位置決めも可能であり、さらに、上レールを上面に取り付けたときに美観に優れる、引戸用の上レールを提供することを目的とする。
【課題を解決するための手段】
【０００８】
上記目的を達成するため、本発明にかかる引戸用の上レールは、第１の部材、第２の部材及び第３の部材を有する上レールであって、前記第１の部材は引き戸上部が滑動する滑動溝と、上面への取付穴と、上面へ取り付けたときに第１の嵌合溝と、を有し、前記第２の部材は引き戸上部が滑動する滑動溝と、上面への取付穴と、前記第１の嵌合溝に嵌合する第１の凸部と、上面へ取り付けたときに第２の嵌合溝と、を有し、前記第３の部材は引き戸上部が滑動する滑動溝と、上面への取付穴と、前記第２の嵌合溝に嵌合する第２の凸部と、を有する。
【０００９】
例えば、本発明に係る引戸用の上レールは、前記滑動溝の断面がＵ字形状であり、前記上面への取付穴は前記滑動溝の奥に形成され、前記第１の嵌合溝と前記第２の嵌合溝の断面形状は同一であり、前記第１の凸部と前記第２の凸部の断面形状は同一である。
【００１０】
例えば、本発明に掛かる引戸用の上レールは、上面へ取り付けた前記上レールと壁との隙間より大きい側面部を更に有し、前記側面部は前記上レールの長手方向に移動可能である。
【発明の効果】
【００１１】
本発明によれば、上面に取り付ける際に余分な人手が不要となり、正確な位置決めが可能となり、取付けたときの美観に優れる引戸用の上レールを提供することが出来る。
【図面の簡単な説明】
【００１２】
【図１】本発明の実施の形態１にかかる引戸の嵌め込みを示した斜視図
【図２】本発明の実施の形態１にかかる引戸の断面図
【図３】本発明の実施の形態１にかかる引戸用の上レールの取り付け方法を示した断面図
【図４】本発明の実施の形態１及び２にかかる引き戸用の上レールの取付方法を示した断面図
【図５】本発明の実施の形態１及び２にかかる引戸の上部断面図
【図６】本発明の実施の形態にかかる引戸用の上レールのキャップを示した斜視図
【発明を実施するための形態】
【００１３】
以下、本発明の実施の形態にかかる引戸用の上レールについて、図面を参照しながら説明する。
【００１４】
（実施の形態１）
引戸は、図１に示すように、障子１０を上レール２０が有する溝と、下レール３０が有する溝に嵌合させて、横方向に移動させるものである。障子１０は、上部に上框１１、下部に下框１２、水平方向の端部にそれぞれ縦框１３を備える。上框１１の上面から、上レール２０の溝に嵌合するピボット１４が２つ突出している。下框１２の下部には、戸車１５が、障子１０の移動方向に回転自在に配置されており、戸車１５は、部分的に下框１２よりも外側に突出している。上レール２０は、アルミニウムの押出成形で形成されていて、断面形状は全長に渡り同一である。上レール２０は、使用する場所に応じた長さに切断されて使用される。他の金属や、木材または樹脂など、他の材料を用いることも可能である。
【００１５】
本実施の形態の引戸は、図２に示すように、三つの障子１０がそれぞれ独立して平行に移動するように配置されている。引戸用の下レール３０は、床面に配置されており、下レール３０の長手方向に、等間隔で平行に３列の戸車溝３１が形成されている。上レール２０は、第１の部材２１、第２の部材２２及び第３の部材２３を有する。上レール２０には、上レール２０の長手方向に、等間隔で平行に３列の、ピボット１４が滑動する滑動溝５３、６３、７３が形成されている。戸車溝３１と各滑動溝は平行である。戸車１５は、戸車溝３１に嵌合し、ピボット１４は、各滑動溝に嵌合し、障子１０は、上レール２０及び下レール３０の長手方向に、平行に移動することが可能である。
【００１６】
上レール２０は、３つの部材からなり、図３に示すように上面９０に取り付ける。上レール２０を構成する部材の一つである第１の部材２１は、上面９０に対して垂直に立設して後述する下面部５２及び５５よりも下側へ突出している側面部５１と、側面部５１と後述する滑動溝５３の間で上面９０に平行な下面を形成している下面部５２と、下面部５２と後述する下面部５５の間で上面９０の方向に凹形状を形成している滑動溝５３と、滑動溝５３の底部５４に形成された取付穴５８と、滑動溝５３に連結されて下面部５２と同じ高さで上面９０に平行である下面部５５と、下面部５５の滑動溝５３とは反対側に形成された凹部５６と、上面９０に対して垂直に立設して凹部５６と連結し凹部５６の底面よりも高く下面部５５よりも低く形成された側面５７と、を有する。凹部５６は、第１の凹部の例である。
【００１７】
上レール２０を構成する部材の一つである第２の部材２２は、第１の部材２１の凹部５６に嵌合する凸部６１と、凸部６１と連結して上面９０に平行な下面を形成している下面部６２と、下面部６２と後述する下面部６５の間で上面９０の方向に凹形状を形成している滑動溝６３と、滑動溝６３の底部６４に形成された取付穴６８と、滑動溝６３に連結されて下面部６２と同じ高さで上面９０に平行である下面部６５と、下面部６５の滑動溝６３とは反対側に形成された凹部６６と、上面９０に垂直に立設して凹部６６と連結し凹部６６の底面よりも高く下面部６５よりも低く形成された側面６７と、を有する。凸部６１は、第１の凸部の例である。凹部６６は、第２の凹部の例である。
【００１８】
上レール２０を構成する部材の一つである第３の部材２３は、第２の部材２２の凹部６６に嵌合する凸部７１と、凸部７１と連結して上面９０に平行な下面を形成している下面部７２と、下面部７２と後述する下面部７５の間で上面９０の方向に凹形状を形成している滑動溝７３と、滑動溝７３の底部に形成された取付穴７８と、滑動溝７３に連結されて下面部７２と同じ高さで上面９０に平行である下面部７５と、下面部７５に連結して上面９０に対して垂直に立設して下面部７５よりも下側へ突出している側面部７６と、を有する。凸部７１は、第２の凸部の例である。
【００１９】
上レール２０は、図３に示すように、第１の部材２１、第２の部材２２、第３の部材２３の順に、凹部５６に凸部６１を嵌合して、凹部６６に凸部７１を嵌合して、上面９０に取り付けるように形成されている。このとき、凹部５６と凹部６６の形状は同一であり、凸部６１と凸部７１の形状は同一である。また、滑動溝５３、滑動溝６３及び滑動溝７３の形状は同一であり、本実施の形態では段付き形状であるが、これは各滑動溝にピボット１４を挿入して滑動させるためである。障子１０の上部の、滑動溝に挿入する部分の形状が単純な凸形状であれば、前記滑動溝は段付きである必要は無く単純なＵ字形状で良い。
【００２０】
次に、上レール２０の長手方向の端部に配置されるキャップ８０について説明する。上レール２０の端部に、図６（A）に示すように、キャップ８０が配されている。キャップ８０は、上レール２０の端面に当接する遮蔽部８１と、上レール２０の側面部５１及び側面部７６にそれぞれ当接する側面部８２、８２を有する。遮蔽部８１は、図６（B）に示すように、上レール２０の端面に当接する側の面に、上レール２０の溝に挿入される挿入部８３を有している。挿入部８３が上レール２０の溝に挿入されているため、キャップ８０を上レール２０に配した状態で、上レール２０を上面９０に取り付けても、キャップ８０が上レール２０から脱落しない。さらにキャップ８０は、上レール２０の長手方向に、所定の長さの範囲で移動可能となっている。また、側面部８２の上レール２０の長手方向の長さは、上レール２０を壁面等の間に取り付けたときに生じる上レール２０と壁面等との間の長さよりも大きい。
【００２１】
次に、上レール２０を、壁面等の間の上面９０に取り付ける方法を説明する。図３に示すように、まず、第１の部材２１を取付穴５８に取付ビスを貫通しつつ上面９０に取り付ける。次に、第２の部材２２の凸部６１を、既に上面９０に取り付けられた第１の部材の凹部５６に嵌合させて、第２の部材２２を上面９０に保持した状態で、取付穴６８に取付ビスを貫通しつつ上面９０に取り付ける。最後に、第３の部材２３の凸部７１を、既に上面９０に取り付けられた第２の部材の凹部６６に嵌合させて、第３の部材２３を上面９０に保持した状態で、取付穴７８に取付ビスを貫通しつつ上面９０に取り付ける。
【００２２】
このように、上レール２０は３本の部材からなるものであり、一つずつ部材を取り付けることが出来るので、１本あたりの重量は軽量である。従って、上面９０に配置するときも無理なく一人で保持出来る。そして、軽量であるため、正確な位置決めも容易である。その上、２本目、３本目を上面９０に取り付ける際には、１本目、２本目の凹部に凸部を嵌合させてから配置するものであるから、容易に正確な位置決めが実現できることになる。
【００２３】
また、壁面等の間の上面９０に上レール２０が配置される場合、上レール２０の切断長さが壁面等の間の寸法と一致していれば、上レール２０の端面が見えることは無いのだが、当該壁面等の間と同一の長さに上レール２０を切断することは困難を伴う。少しでも長すぎると、当該壁面等の間に入らず、又設置の際に壁面等を損傷するおそれもある。そのため、上レール２０を短めに切断せざるを得ない。その結果、上レール２０を上面９０に配置すると、上レール２０の長手方向の端部と壁面等との間に隙間が生じて美観を損なうことになる。しかしながら本実施の形態の上レール２０は、キャップ８０を有しており、キャップ８０を端面に配した上レール２０を上面９０の壁面間等に配した後に、キャップ８０を壁面へ移動することで、壁面と上レール２０の端面の隙間を塞ぐことが出来る。なおキャップ８０を上レール２０の両側の端面に配しても良いし、片側のみに配して、上レール２０のキャップ８０を配していない端面を壁面に寄せて、上レール２０と壁面の隙間を無くすように配してから、上レール２０のもう一方の、キャップ８０を配した端面に生じた隙間を、キャップ８０を移動することで隙間を塞ぐようにしても良い。以上により、上面９０の壁面等の間に、少ない人手で、正確な位置決めを実現し、取り付けたときに隙間が塞がれて美観に優れる、３列の上レールを配することができる。
【００２４】
（実施の形態２）
実施の形態１では、引き戸を移動させる溝が３列である形態を説明したが、本実施の形態では、３列以外の形態を説明する。
【００２５】
実施の形態１で説明したように、第１の部材２１が有する凹部５６と、第２の部材２２が有する凹部６６とは、同一の形状である。また、第２の部材２２が有する凸部６１と、第３の部材２３が有する凸部７１とは、同一の形状である。これにより、凹部５６には、凸部６１及び凸部７１のいずれも嵌合できることになる。さらに、凹部６６にも、凸部６１及び凸部７１のいずれも嵌合できることになる。
【００２６】
このことから、第１の部材２１と、第３の部材２３を、図４（C）に示すように嵌合させると、２列の滑動溝を有する上レールを実現できる。また、第１の部材２１と、二つの第２の部材２２と、第３の部材２３を、図４（D）に示すように嵌合させると、４列の滑動溝を有する上レールを実現できる。さらに、第１の部材のみを、図４（A）に示すように配置しておけば、１列の滑動溝のみを有する上レールを実現できる。
本実施の形態で上面９０に配置し、障子１０を配した１列〜４列の上レールを、図５（A）〜（D）に示す。
【００２７】
このように、本願発明の上レールによれば、上面の壁面等の間に、少ない人手で、正確な位置決めを可能とし、取り付けたときに上レールと壁面等の間の隙間が塞がれて美観に優れる、１列以上の自由な列数の上レールを配することができる。
【００２８】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【符号の説明】
【００２９】
１０  障子
１１  上框
１２  下框
１３  縦框
１４  ピボット
１５  戸車
２０  上レール
２１  第１の部材
２２  第２の部材
２３  第３の部材
３０  下レール
３１  戸車溝
５１、５７、６７、７６  側面部
５２、５５、６２、６５、７２、７５  下面部
５３、６３、７３  滑動溝
５４、６４、７４  底部
６１、７１  凸部
８０  キャップ
８１  遮蔽部
８２  側面部
８３  挿入部
９０  上面
【図１】
2020197040.tif 000003
【図２】
2020197040.tif 000004
【図３】
2020197040.tif 000005
【図４】
2020197040.tif 000006
【図５】
2020197040.tif 000007
【図６】
2020197040.tif 000008